(57)【要約】本発明の地図表示装置１は、地図を表示した画面を複数に分割し、分割した各領域に気象情報を表示する表示モニタ１６と、複数の地域の気象情報をそれぞれ受信する衛星ラジオ受信部１１２と、受信した気象情報の中から、表示モニタ１６に表示されている地図の領域を包含する地域の気象情報を抽出し、表示画面の各領域に割り当て、表示モニタ１６に地図を表示するとともに、抽出した地域の気象情報を表示画面の各領域に割り当てて表示モニタ１６に表示する制御回路１１とを備える。
2009125463.tif 000002
【特許請求の範囲】
【請求項１】
地図を表示した画面を複数に分割し、分割した各領域に気象情報を表示する表示モニタと、
複数の地域の気象情報をそれぞれ受信する受信部と、
前記受信した気象情報の中から、前記表示モニタに表示されている地図の領域を包含する地域の気象情報を抽出し、前記表示画面の各領域に割り当てる情報抽出部と、
前記表示モニタに前記地図を表示するとともに、前記抽出した地域の気象情報を前記表示画面の各領域に割り当てて表示する表示制御部とを備える地図表示装置。
【請求項２】
請求項１に記載の地図表示装置において、
前記情報抽出部は、
表示中の地図上における前記各領域の中心位置に対応する地理的位置を算出する地理的位置算出部と、
前記受信した気象情報の中から、前記算出された地理的位置を含む地域における気象情報を抽出する抽出部とを備える地図表示装置。
【請求項３】
請求項２に記載の地図表示装置において、
前記気象情報は、気象情報提供地域を複数の地域に分割した分割地域ごとの情報であり、
前記抽出部は、前記複数の分割地域の中から、前記表示画面の各領域の地理的位置が含まれる分割地域の気象情報を抽出する地図表示装置。
【請求項４】
請求項３に記載の地図表示装置において、
前記地理的位置が前記分割地域の分割線上に合致した場合、その分割線で分割される複数の分割地域のいずれかに含まれる気象情報を、前記地理的位置の気象情報として割り当てる地図表示装置。
【請求項５】
請求項１乃至４のいずれか１項に記載の地図表示装置において、
前記表示画面上の前記分割領域はｍ×ｎ（ｍ，ｎは奇数）に２次元配列され、
前記表示モニタの表示画面が押圧されると、当該押圧位置に対応する地図上の地理的位置が前記表示画面の中央になるように前記地図をスクロールするスクロール部を備える地図表示装置。
【請求項６】
請求項４に記載の地図表示装置において、
前記スクロール部により前記地図のスクロールが終了すると、前記地理的位置算出部は、表示中の地図上における前記各領域の中心位置に対応する地理的位置を算出し、前記抽出部は、前記受信した気象情報の中から、前記算出された地理的位置を含む地域における気象情報を抽出する地図表示装置。
【請求項７】
請求項１乃至６のいずれか１項に記載の地図表示装置において、
前記気象情報は、風向き、風力、気温、湿度、単位時間当たりの雨量、積算総雨量、単位時間当たりの日照時間、気圧、湿度のいずれかである地図表示装置。
【請求項８】
請求項３に記載の地図表示装置において、
前記気象情報は、前記気象情報提供地域を大分割した複数のタイルごとに配信され、前記タイルは、当該タイルの地域を小分割した複数のメッシュごとに気象情報を有する地図表示装置。
【請求項９】
請求項８に記載の地図表示装置において、
前記抽出部は、前記表示画面の複数の領域の気象情報として、地理的位置を包含する前記メッシュの気象情報を代表的な気象情報として抽出する地図表示装置。
【請求項１０】
請求項１乃至９のいずれか１項に記載の地図表示装置を備えるナビゲーション装置。
【発明の詳細な説明】
【技術分野】
【０００１】
本発明は、気象情報を地図に重ねて表示する地図表示装置に関する。
【背景技術】
【０００２】
自車位置周辺の地域における風向き情報や風速情報を風向きマークとして地図に重ねて表示するナビゲーション装置が従来技術として知られている（たとえば、特許文献１）。
【特許文献１】特開２００６−２９２６５６号公報
【発明の開示】
【発明が解決しようとする課題】
【０００３】
特許文献１に記載されているナビゲーション装置のように気象情報を地図に重ねて表示する地図表示装置においては、気象情報を速やかに表示させることが要望されている。
【課題を解決するための手段】
【０００４】
本発明による地図表示装置は、地図を表示した画面を複数に分割し、分割した各領域に気象情報を表示する表示モニタと、複数の地域の気象情報をそれぞれ受信する受信部と、受信した気象情報の中から、表示モニタに表示されている地図の領域を包含する地域の気象情報を抽出し、表示画面の各領域に割り当てる情報抽出部と、表示モニタに地図を表示するとともに、抽出した地域の気象情報を表示画面の各領域に割り当てて表示する表示制御部とを備える。前記情報抽出部は、表示中の地図上における各領域の中心位置に対応する地理的位置を算出する地理的位置算出部と、受信した気象情報の中から、算出された地理的位置を含む地域における気象情報を抽出する抽出部とを備えることが好ましい。気象情報は、気象情報提供地域を複数の地域に分割した分割地域ごとの情報であり、抽出部は、複数の分割地域の中から、表示画面の各領域の地理的位置が含まれる分割地域の気象情報を抽出する。地理的位置が分割地域の分割線上に合致した場合、その分割線で分割される複数の分割地域のいずれかに含まれる気象情報を、地理的位置の気象情報として割り当てることが好ましい。
本発明の地図表示装置は、表示画面上の分割領域はｍ×ｎ（ｍ，ｎは奇数）に２次元配列され、表示モニタの表示画面が押圧されると、当該押圧位置に対応する地図上の地理的位置が表示画面の中央になるように地図をスクロールするスクロール部を備える。スクロール部により地図のスクロールが終了すると、地理的位置算出部は、表示中の地図上における各領域の中心位置に対応する地理的位置を算出し、抽出部は、受信した気象情報の中から、算出された地理的位置を含む地域における気象情報を抽出することが好ましい。気象情報は、風向き、風力、気温、湿度、単位時間当たりの雨量、積算総雨量、単位時間当たりの日照時間、気圧、湿度のいずれかである。
本発明の地図表示装置の気象情報は、気象情報提供地域を大分割した複数のタイルごとに配信され、タイルは、当該タイルの地域を小分割した複数のメッシュごとに気象情報を有する。抽出部は、表示画面の複数の領域の気象情報として、地理的位置を包含するメッシュの気象情報を代表的な気象情報として抽出することが好ましい。
本発明の地図表示装置は、ナビゲーション装置であることが好ましい。
【発明の効果】
【０００５】
本発明によれば、気象情報を地図に重ねて表示する処理を速くすることができる。
【図面の簡単な説明】
【０００６】
【図１】本発明の実施形態におけるナビゲーション装置の構成を示すブロック図である。
【図２】衛星ラジオ放送の気象情報を説明するための図である。
【図３】風データを表示した地図を説明するための図である。
【図４】固定位置および固定位置に対応する地図上の位置の緯度経度を説明するための図である。
【図５】本発明の実施形態における風データ表示処理を説明するためのフローチャートである。
【図６】固定位置に対応する地図上の位置が含まれるピクセルの特定を説明するための図である。
【図７】地図の縮尺とピクセルの密度との関係を説明するための図である。
【図８】固定位置に対応する地図上の位置がピクセルの境界上にあるとき、固定位置に対応する地図上の位置が含まれるピクセルの特定を説明するための図である。
【図９】任意の位置の風データの表示操作を説明するための図である。
【発明を実施するための最良の形態】
【０００７】
図１は、本発明の実施形態によるナビゲーション装置１を示す。このナビゲーション装置１は、衛星ラジオ放送による気象情報を受信し、その気象情報を地図に重ねて表示モニタ１６に表示することができる。既知の衛星ラジオ放送として、たとえば、シリウスサテライトラジオなどがある。ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル１９、タッチパネルコントロール部１１０、衛星ラジオ受信部１１１、受信メモリ１１２およびディスクドライブ１１３を有している。ディスクドライブ１１３には、地図データが記憶されたＤＶＤ−ＲＯＭ１１４が装填されている。【０００８】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１４に記憶された地図データに基づいて所定の経路探索処理を行うと、その処理結果が推奨経路として表示モニタ１６に表示される。【０００９】
現在地検出装置１４は車両の現在地を検出する装置である。現在地検出装置１４は、振動ジャイロ１４ａ、車速センサ１４ｂ、ＧＰＳ（Global Positioning System）センサ１４ｃなどからなる。振動ジャイロ１４ａは、車両の進行方向を検出する。車速センサ１４ｂは、車速を検出する。ＧＰＳセンサ１４ｃはＧＰＳ衛星からのＧＰＳ信号を検出する。ナビゲーション装置１は、この現在地検出装置１４により検出された車両の現在地に基づいて、地図の表示範囲や経路探索開始点などを決定する。また、車両の現在地を地図上に自車位置マークとして表示する。【００１０】
画像メモリ１５は、表示モニタ１６に表示するための画像データを格納する。この画像データは道路地図描画用データや各種の図形データからなる。それらはＤＶＤ−ＲＯＭ１１４に記憶された地図データなどに基づいて、制御回路１１において適宜生成される。ナビゲーション装置１は、このようにして生成された画像データを用いることによって地図表示などを行うことができる。【００１１】
ディスクドライブ１１３は、ＤＶＤ−ＲＯＭ１１４から地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで７段階の縮尺の地図データを有する。これにより、ユーザの要求にしたがって、表示地図の縮尺を７段階に変更することができる。なお、ＤＶＤ−ＲＯＭ１１４以外の他の記録メディア、たとえばＣＤ−ＲＯＭやハードディスクなどより地図データを読み出してもよい。【００１２】
表示モニタ１６は、地図データなどの各種情報に基づいて、自車位置付近の地図などの各種情報を画面表示としてユーザに提供する。スピーカ１７は、各種入力操作をユーザに指示したり、経路誘導したりするための音声を出力する。入力装置１８は、ユーザが各種コマンドの設定などするための操作キーを有し、操作パネル上のボタンスイッチやパネル周囲のハードスイッチなどによって実現される。ユーザが各種コマンドの設定などするための操作キーを有し、操作パネル上のボタンスイッチやパネル周囲のハードスイッチなどによって実現される。また、入力装置１８を操作することによって、表示モニタ１６に表示されている地図の縮尺率を変更することができる。たとえば、１／５万の地図の縮尺率は、１／５００００である。ユーザは、表示モニタ１６の表示画面の指示やスピーカ１７からの音声指示にしたがって入力装置１８を手動で操作することにより、目的地を設定する。また、入力装置１８を操作することによって、衛星ラジオ放送を選局することができる。【００１３】
目的地がユーザにより設定されると、ナビゲーション装置１は現在地検出装置１４により検出された現在地を出発地とし、目的地までの経路演算を所定のアルゴリズムに基づいて行う。このようにして求められた経路（以下、推奨経路という）は、表示形態、たとえば表示色などを変えることによって、ほかの道路とは区別して画面表示される。これにより、ユーザは地図上の推奨経路を画面上で認識することができる。また、ナビゲーション装置１は、推奨経路にしたがって車両が走行できるように、ユーザに対して画面や音声などによる進行方向指示を行い、車両を経路誘導する。【００１４】
タッチパネル１９は、表示モニタ１５の表面に積層される透明のタッチスイッチである。表示モニタ１６に表示される画像はタッチパネル１９を通して表示される。したがって、表示モニタ１６の表示画面を押圧するとタッチパネル１９が押圧される。タッチパネル１９は、タッチパネル１９上の操作位置に応じた信号をタッチパネルコントロール部１１０に送出する。タッチパネルコントロール部１１０はタッチパネル１９の押圧位置を算出する。【００１５】
表示モニタ１６に表示された各種ボタンや表示メニューなどを指などで押圧するとタッチパネル１９は押圧される。そして、各種ボタンや表示メニューに定義された処理が実行される。また、表示モニタ１６に表示されている地図を押圧すると、タッチパネル１９が押圧され、押圧した位置が表示モニタ１６の表示画面の中央に表示されるように地図がスクロールされる。【００１６】
衛星ラジオ受信部１１１は、図示しない衛星ラジオ局から人工衛星を介して放送される衛星ラジオ放送を受信し、制御回路１１に出力する。受信した衛星ラジオ放送は、スピーカ１７より出力される。また、衛星ラジオ受信部１１１によって受信された衛星ラジオ放送の気象情報は受信メモリ１１２に記憶される。【００１７】
衛星ラジオ放送の気象情報は、天気図の情報や、台風、ハリケーンなどの嵐の情報、気象レーダによる雨量分布の情報、各観測地点における風向きや風力の情報などを有する。天気図の情報として、たとえば、高気圧あるいは低気圧の位置（緯度・経度）の情報、温暖前線あるいは寒冷前線の位置情報、等圧線の情報、気圧の情報などが含まれる。嵐の情報には、台風、ハリケーン、竜巻、霰、雹、雷雨などの位置や移動方向、進路予想の情報などが含まれる。雨量分布の情報には、雨が降っている位置とその位置における雨量の情報などが含まれる。【００１８】
衛星ラジオ放送の気象情報は、地理上の所定領域ごとに分割されている。たとえば、アメリカ合衆国の場合、図２（ａ）に示すように国土が分割され、分割された領域の気象情報が集まって、衛星ラジオ放送の気象情報となる。以下、この分割された領域をタイルと呼ぶ。図２（ｂ）に示すように、タイル２０はメッシュ状にさらに分割され、メッシュ状に分割された領域にしたがって、タイル２０に対応する気象情報はさらに分割される。タイルをさらに分割したものをピクセルと呼ぶ。衛星ラジオ放送では、全てのタイルにおける気象情報を一括に送信するのではなく、複数のタイルにおける気象情報ごとに気象情報を送信する。【００１９】
受信メモリ１１２は、フラッシュメモリやハードディスクなどの書き換え可能な不揮発性記録媒体によって構成される。受信メモリ１１２は、衛星ラジオ受信部１１１によって受信された気象情報を記憶する。受信メモリ１１２に記憶された気象情報は、アイコン、等圧線、寒冷前線などとして地図上に表示される。【００２０】
次に、図３を参照して、本発明の実施形態における風データ表示処理について説明する。図３は、風データを表示した地図３０を説明するための表示モニタ１６の表示画面１６Ａを示す。地図３０に重ねて、風向きを表すアイコン３１ａ〜３１ｏが表示され、アイコン３１ａ〜３１ｏの下には風速が表示されている。この実施の形態では、図４に示すように、表示画面を縦に３等分、横に５等分することによって形成した３×５の１５分割画面の中心位置５１ａ〜５１ｏにアイコン３１ａ〜３１ｏが表示されている。以下、それぞれの分割画面の中心位置を固定位置と呼ぶ。【００２１】
固定位置の位置および数は、表示モニタ１６に表示される地図の縮尺率に関係なく一定である。すなわち、表示モニタ１６に表示される地図の縮尺率が小さくなっても、固定位置の数を増やさず、表示モニタ１６に表示される地図の縮尺率が大きくなっても、固定位置の数を減らさない。図４の座標（Ｘａ，Ｙａ）〜（Ｘｏ，Ｙｏ）が固定位置５１ａ〜５１ｏに対応する地図上の緯度経度である。【００２２】
次に、図５のフローチャートを参照して、本発明の実施形態における風データ表示処理について説明する。図５の処理は、不図示のメニューから風データ表示が選択されるとスタートするプログラムであり、制御回路１１により実行される。【００２３】
ステップＳ５０１では、表示モニタ１６の１５分割画面中心の固定位置５１ａ〜５１ｏに対応する地図上の位置６１ａ〜６１ｏ（図６参照）の緯度経度を算出する。ステップＳ５０２では、算出した緯度経度に基づいて、固定位置に対応する地図上の位置（緯度経度）が含まれるタイルを特定する。ステップＳ５０３では、図６に示すように、特定したタイル中の複数のピクセルの中から、算出した緯度経度を含むピクセル６２ａ〜６２ｏを特定する。なお、図３〜図６に示す例では、固定位置５１ａ〜５１ｏの全てが１枚のタイル内に含まれるものとして説明する。また、各ピクセルの風データとして風向きと風速のデータが受信メモリ１１２に記憶されている。【００２４】
固定位置に対応するピクセルを特定するときに、参照するピクセルの表示画面上での密度は表示モニタ１６に表示されている地図の縮尺で異なる。たとえば、表示モニタ１６に表示されている地図の縮尺が大きい場合、つまり、広域地図が表示される場合、図７（ａ）に示すように、ピクセルの密度は高くなる。一方、表示モニタ１６に表示されている地図の縮尺が小さい場合、つまり、詳細地図が表示される場合、図７（ｂ）に示すように、ピクセルの密度は低くなる。ピクセルの密度は変わっても、風データを抽出するピクセルの数は１５個で一定であるので、表示モニタ１６に表示される地図の縮尺が変わっても風データ３１ａ〜３１ｏを地図３０に重ねて表示する処理にかかる時間はほぼ同一である。【００２５】
表示モニタ１６に表示される地図によって、分割画面中心の固定位置５１ａ〜５１ｏに対応する地図上の固定位置６１ａ〜６１ｏのいずれかがピクセルの境界上になる場合がある。この場合、以下のようにして固定位置５１ａ〜５１ｏに対応する地図上の位置６１ａ〜６１ｏを含むピクセルを決定する。たとえば、図８（ａ）に示すように、固定位置５１ａに対応する地図上の位置６１ｐが４つのピクセルの接点に該当する場合、右下（南東）のピクセル６２ｐを固定位置に対応する地図上の位置が含まれるピクセルとして決定する。また、図８（ｂ）に示すように、固定位置５１ａに対応する地図上の位置６１ｑが左右（西東）のピクセルの境界に該当する場合、右（東）のピクセル６２ｑを固定位置に対応する地図上の位置が含まれるピクセルとして決定する。さらに、図８（ｃ）に示すように、固定位置５１ａに対応する地図上の位置６１ｒが上下（北南）のピクセルの境界に該当する場合、下（南）のピクセル６２ｒを固定位置に対応する地図上の位置が含まれるピクセルとして決定する。【００２６】
ステップＳ５０４では、受信メモリ１１２に記憶した気象情報の中から、特定したピクセルにおける気象情報を抽出する。ステップＳ５０５では、図６に示すように、抽出した気象情報から風向きや風速などの風データをさらに抽出する。ステップＳ５０６では、風データをアイコンや風速の数値として地図に重ねて表示モニタ１６に表示する。アイコンは固定位置に表示される。【００２７】
以上の本発明の実施の形態によるナビゲーション装置１は次のような作用効果を奏する。
（１）衛星ラジオ受信部１１１で受信した気象情報の中から、表示モニタ１６に表示されている地図の領域を包含する地域の気象情報３１ａ〜３１ｏを抽出し、抽出した情報３１ａ〜３１ｏを表示画面１６Ａの各領域に割り当て、表示モニタ１６に地図３０を表示するとともに、抽出した地域の気象情報３１ａ〜３１ｏを表示画面１６Ａの各領域に割り当てて表示するようにしたので、気象情報を地図に重ねて表示する処理を速くすることができる。【００２８】
（２）表示中の地図３０上における各領域の中心位置５１ａ〜５１ｏに対応する地理的位置６１ａ〜６１ｏを算出する制御回路１１と、衛星ラジオ受信部１１１で受信した気象情報の中から、算出された地理的位置６１ａ〜６１ｏを含む地域６２ａ〜６２ｏにおける気象情報３１ａ〜３１ｏを抽出する制御回路１１とを備えるようにしたので、表示画面１６Ａの各領域に割り当てる気象情報３１ａ〜３１ｏを迅速に決定することができ、気象情報３１ａ〜３１ｏを地図に重ねて表示する処理を速くすることができる。【００２９】
（３）気象情報は、気象情報提供地域を複数の地域に分割した分割地域６２ａ〜６２ｏごとの情報であり、制御回路１１は、複数の分割地域６２ａ〜６２ｏの中から、表示画面１６Ａの各領域の地理的位置が含まれる分割地域の気象情報３１ａ〜３１ｏを抽出するようにしたので、地図３０に重ねて表示する気象情報３１ａ〜３１ｏを抽出する処理を速くすることができる。【００３０】
（４）地理的位置６１ｐ〜６１ｒが分割地域６２ｐ〜６２ｒの分割線上に合致した場合、その分割線で分割される複数の分割地域６２ｐ〜６２ｒのいずれかに含まれる気象情報を、地理的位置６１ｐ〜６１ｒの気象情報として割り当てるようにしたので、表示画面１６Ａの各領域に割り当てる気象情報を容易に決定することができ、気象情報を地図に重ねて表示する処理を速くすることができる。【００３１】
（５）気象情報は、気象情報提供地域を大分割した複数のタイル２０ごとに配信され、タイル２０は、タイル２０の地域を小分割した複数のメッシュ６２ａ〜６２ｏごとに気象情報を有するようにした。これにより、表示画面１６Ａの各領域に割り当てる気象情報３１ａ〜３１ｏを迅速に決定することができ、気象情報３１ａ〜３１ｏを地図に重ねて表示する処理を速くすることができる。【００３２】
（６）制御回路１１は、表示画面１６Ａの複数の領域の気象情報として、地理的位置を包含するメッシュの気象情報を代表的な気象情報として抽出するようにしたので、表示画面１６Ａの各領域に割り当てる気象情報３１ａ〜３１ｏを迅速に決定することができ、気象情報３１ａ〜３１ｏを地図に重ねて表示する処理を速くすることができる。【００３３】
（７）表示画面１６Ａに複数の固定位置５１ａ〜５１ｏを設定し、固定位置５１ａ〜５１ｏに対応する地図上の位置６１ａ〜６１ｏを算出し、その地図上の位置６１ａ〜６１ｏに基づいて風データを抽出するピクセル６２ａ〜６２ｏを特定し、特定したピクセル６２ａ〜６２ｏから風データ３１ａ〜３１ｏを抽出して表示画面の固定位置５１ａ〜５１ｏに表示するようにした。これにより、受信した気象情報の中で地図３０に重ねて表示する風データ（どのピクセルの風データを表示するか）を迅速に特定することができるので、風データ３１ａ〜３１ｏを地図３０に重ねて表示する処理を速くすることができる。【００３４】
（８）表示画面１６Ａに表示する地図の縮尺を変えても、固定位置５１ａ〜５１ｏを変えないようにした。したがって、表示モニタ１６に表示する地図の縮尺が変わっても、受信した気象情報の中で地図３０に重ねて表示する風データを迅速に特定することができるので、風データ３１ａ〜３１ｏを地図３０に重ねて表示する処理を速くすることができる。【００３５】
（９）表示画面１６Ａを縦に３等分し、横に５等分することによって３×５の分割画面を形成し、固定位置５１ａ〜５１ｏをそれぞれの分割画面の中心の位置とした。したがって、表示モニタ１６に表示された範囲の気象情報が偏って表示されることはないので、表示モニタ１６に表示された範囲の気象情報を容易に把握することができる。【００３６】
以上の実施の形態を次のように変形することができる。
（１）地図に重ねて表示する気象情報は風向きや風速に限定されない。たとえば、気温、湿度、単位時間当たりの雨量、積算総雨量、単位時間当たりの日照時間、気圧、湿度などであってもよい。これらの場合も、受信した気象情報の中で地図に重ねて表示する気象情報を迅速に抽出することができるので、気象情報を地図に重ねて表示する処理を速くすることができる。【００３７】
（２）固定位置を決定するための表示画面の分割は、表示画面を縦に３等分し、横に５等分する分割画面に限定されず、表示画面の大きさや解像度などによって適宜選択することができる。【００３８】
（３）表示画面の固定位置は、予め定められた表示画面上の複数の位置であれば実施形態に限定されない。しかし、地図が表示されている表示モニタ１６の表示画面を押圧したとき、押圧した位置が表示画面の中央になるように地図がスクロールされる場合は、複数の固定位置のうちのひとつは表示画面の中央の位置にあることが好ましい。これにより、ユーザは風データを知りたい位置を押圧することによって、その場所の風データを表示モニタ１６に表示させることができる。たとえば、図９（ａ）に示すように、地図３０上の位置７１の風データを知りたい場合、位置７１を押圧する。そうすると、図９（ｂ）に示すように、地図がスクロールされ、押圧された位置７１が表示画面の中央に表示される。表示画面の中央に固定位置５１ｈが設定されているので、図９（ｂ）に示すように、位置７１における風データが表示される。【００３９】
表示画面を縦にｍ等分し、横にｎ等分することによってｍ×ｎの分割画面を形成し、固定位置をそれぞれの分割画面の中心の位置とする場合、ｍおよびｎの値が奇数のとき、固定位置のひとつが表示画面の中央の位置になる。したがって、地図が表示されている表示モニタ１６の表示画面を押圧したとき、押圧した位置が表示画面の中央になるように地図がスクロールされる場合は、ｍおよびｎの値が奇数であることが好ましい。偶数でもよい。【００４０】
（４）本発明は、地図表示装置であればナビゲーション装置１に限定されない。たとえば、地図表示機能付き携帯電話についても、気象情報を表示するとき、上述のように表示するようにしてもよい。【００４１】
以上の説明はあくまで一例であり、発明は、上記の実施形態に何ら限定されるものではない。
【図１】
2009125463.tif 000003
【図２】
2009125463.tif 000004
【図３】
2009125463.tif 000005
【図４】
2009125463.tif 000006
【図５】
2009125463.tif 000007
【図６】
2009125463.tif 000008
【図７】
2009125463.tif 000009
【図８】
2009125463.tif 000010
【図９】
2009125463.tif 000011
【国際調査報告】
2009125463.tif 000012
2009125463.tif 000013
2009125463.tif 000014
2009125463.tif 000015